(57)【特許請求の範囲】
【請求項１】
アドレスを記憶する記憶部と、
記録媒体に記録する記録部と、
前記アドレスの変更の指示があった場合、変更前の前記アドレス及び変更後の前記アドレスを前記記録部に記録させ、変更後の前記アドレスを前記記憶部に記憶させる制御部と、を備え、
変更後の前記アドレスは、変更前の前記アドレスと相違する相違部分が、変更前の前記アドレスと相違しない部分に対し識別可能になるように、前記記録部に記録されることを特徴とする記録装置。
【請求項２】
前記制御部は、
前記アドレスの変更の指示があった場合、変更前の前記アドレス及び変更後の前記アドレスと併せて、識別情報を前記記録部に記録させることを特徴とする請求項１に記載の記録装置。
【請求項３】
前記制御部は、
前記アドレスの変更の指示があった場合、変更前の前記アドレス及び変更後の前記アドレスと併せて、前記アドレスが変更されたときの時刻を前記記録部に記録させることを特徴とする請求項１又は２に記載の記録装置。
【請求項４】
前記制御部は、
前記アドレスの変更の指示があった場合、変更前の前記アドレス及び変更後の前記アドレスと併せて、前記アドレスを変更した手段を示す情報を前記記録部に記録させることを特徴とする請求項１乃至３のいずれか１項に記載の記録装置。
【請求項５】
前記制御部は、
前記アドレスの変更の指示があった場合、変更前の前記アドレスと変更後の前記アドレスにおいて、それぞれ対応する部分が並ぶように、前記記録部に記録させることを特徴とする請求項１乃至４のいずれか１項に記載の記録装置。
【請求項６】
ＬＥＤが設けられたＬＥＤ表示部をさらに備え、
前記制御部は、前記ＬＥＤ表示部の前記ＬＥＤを所定の態様で駆動することで、報知させることを特徴とする請求項１乃至５のいずれか１項に記載の記録装置。
【発明の詳細な説明】
【技術分野】
【０００１】
本発明は、記録装置に関する。
【背景技術】
【０００２】
従来、印刷装置が、自身に設定されたＩＰアドレスを印刷してユーザーに提示する技術が開示されている（例えば、特許文献１参照）。
【先行技術文献】
【特許文献】
【０００３】
【特許文献１】特開２００６−１５７３０号公報
【発明の概要】
【発明が解決しようとする課題】
【０００４】
ここで、特許文献１の印刷装置では、ＩＰアドレスがユーザーに提供されるのみであり、通信に関する有益な情報をユーザーに提供するという点で、改良の余地があった。
本発明は、上述した事情に鑑みてなされたものであり、印刷装置について、通信に関する有益な情報を提供することを目的とする。
【課題を解決するための手段】
【０００５】
上記目的を達成するために、本発明は、アドレスを記憶する記憶部と、記録媒体に記録する記録部と、前記アドレスの変更の指示があった場合、変更前の前記アドレスと変更後の前記アドレスとを前記記録部に記録させ、変更後の前記アドレスを前記記憶部に記憶させる制御部と、を備えることを特徴とする。
本発明の構成によれば、記録装置は、通信に関する有益な情報を提供できる。
【０００６】
また、本発明の記録装置は、前記制御部は、前記アドレスの変更の指示があった場合、変更前の前記アドレス及び変更後の前記アドレスと併せて、識別情報を前記記録部に記録させることを特徴とする。
本発明の構成によれば、記録装置は、通信に関する有益な情報を提供できる。
【０００７】
また、本発明の記録装置は、前記制御部は、前記アドレスの変更の指示があった場合、変更前の前記アドレス及び変更後の前記アドレスと併せて、前記アドレスが変更されたときの時刻を前記記録部に記録させることを特徴とする。
本発明の構成によれば、記録装置は、通信に関する有益な情報を提供できる。
【０００８】
また、本発明の記録装置は、前記制御部は、前記アドレスの変更の指示があった場合、変更前の前記アドレス及び変更後の前記アドレスと併せて、前記アドレスを変更した手段を示す情報を前記記録部に記録させることを特徴とする。
本発明の構成によれば、記録装置は、通信に関する有益な情報を提供できる。
【０００９】
また、本発明の記録装置は、前記制御部は、前記アドレスの変更の指示があった場合、変更前の前記アドレスと変更後の前記アドレスとを、各アドレスの相違部分を識別可能な態様で、前記記録部に記録させることを特徴とする。
本発明の構成によれば、記録装置は、通信に関する有益な情報を提供できる。
【図面の簡単な説明】
【００１０】
【図１】本実施形態に係るＰＯＳシステムの構成を示す図。
【図２】記録装置の外観斜視図。
【図３】ＰＯＳ端末、及び、記録装置の機能的構成を示すブロック図。
【図４】ＰＯＳ端末、及び、記録装置の動作を示すフローチャート。
【図５】記録装置の動作を示すフローチャート。
【図６】初回設定時紙片を示す図。
【図７】記録装置の動作を示すフローチャート。
【図８】変更時紙片を示す図。
【発明を実施するための形態】
【００１１】
以下、図面を参照して本発明の実施形態について説明する。
図１は、本実施形態に係るＰＯＳシステム１の構成を示す図である。
図１に示すように、ＰＯＳシステム１は、ＰＯＳ端末１０（制御装置）と、記録装置１１との組み合わせを、複数、備える。
【００１２】
１組のＰＯＳ端末１０と記録装置１１とは、スーパーマーケットやコンビニエンスストア、飲食店等の店舗に設けられたレジカウンターＬに設けられる。ＰＯＳ端末１０は、レジカウンターＬにおいて行われた顧客の会計に応じて、記録装置１１を制御し、記録装置１１にレシートを発行させる。
【００１３】
ＰＯＳ端末１０、及び、記録装置１１は、所定の規格に従った無線通信機能を有する。ＰＯＳ端末１０と、記録装置１１とは、アクセス・ポイントを含んで構成された無線ＬＡＮ１２を介して無線通信する。無線ＬＡＮ１２には、ＰＯＳサーバー１３が接続される。ＰＯＳサーバー１３は、顧客マスターや、商品マスター等、レシートの発行に必要な情報を記憶する。ＰＯＳ端末１０は、記録装置１１にレシートを発行させる際、ＰＯＳサーバー１３にアクセスして、レシートの発行に必要な情報を取得する。
【００１４】
図２は、本実施形態に係る記録装置１１の外観斜視図である。
記録装置１１は、ラインサーマルプリンターである。記録装置１１は、ロール紙Ｒ（記録媒体）を収容する。記録装置１１は、収容したロール紙Ｒを搬送し、記録装置１１に設けられたサーマルヘッドによってロール紙Ｒに記録する。記録装置１１には開閉可能なカバー１２１が設けられる。カバー１２１は、記録装置１１の上面に設けられたレバー１２２を押し下げることで開状態となる。カバー１２１を開くと、ロール紙Ｒを収容するロール紙収容部が露出し、ロール紙Ｒの交換を行うことができる。記録装置１１の上面には、ロール紙Ｒを排出する排紙口１２３が設けられる。排紙口１２３の内側にはロール紙Ｒを切断するカッターユニット１２４が設けられる。記録装置１１の上面で、レバー１２２の後方に、パネルが設けられる。パネルに、ロール紙Ｒのフィードを指示する操作スイッチ１２５、及び、記録装置１１の状態やエラーの発生の有無等をＬＥＤにより報知するＬＥＤ表示部１２６が設けられる。記録装置１１の前面には、記録装置１１の電源のオン、オフを切り替える電源スイッチ１２７が設けられる。
【００１５】
このように、記録装置１１は、液晶表示パネル等の、文字や画像を表示することによって情報を出力する表示装置を有さない。これにより、低コスト化、小型化、省電力化を実現している。
【００１６】
図３は、ＰＯＳ端末１０、及び、記録装置１１の機能的構成を示すブロック図である。
【００１７】
図３に示すように、ＰＯＳ端末１０は、端末制御部２０と、端末入力部２１と、端末表示部２２と、端末無線通信部２３と、端末記憶部２４と、デバイス通信部２５と、を備える。
【００１８】
端末制御部２０は、ＣＰＵや、ＲＯＭ、ＲＡＭ、その他の周辺回路等を備え、ＰＯＳ端末１０を制御する。
【００１９】
端末入力部２１は、ＰＯＳ端末１０に設けられたスイッチに接続され、スイッチに対する操作を検出して、端末制御部２０に出力する。端末制御部２０は、端末入力部２１からの入力に応じて、操作に対応する処理を実行する。
【００２０】
端末表示部２２は、表示パネルを備え、端末制御部２０の制御で、表示パネルに情報を表示する。
【００２１】
端末無線通信部２３は、端末制御部２０の制御で、所定の規格に従って無線通信する。
【００２２】
端末記憶部２４は、不揮発性メモリーを備え、各種データを記憶する。
【００２３】
デバイス通信部２５は、端末制御部２０の制御で、ＰＯＳ端末１０に接続されたデバイスと通信する。ＰＯＳ端末１０には、デバイスとして、バーコードリーダー３１と、カスタマーディスプレー３２と、キャッシュドロワー３３と、が接続される。
【００２４】
バーコードリーダー３１は、商品や、商品の包装に付されたバーコードを読み取って、読み取り結果を示す情報をデバイス通信部２５に出力する。デバイス通信部２５は、入力された情報を端末制御部２０に出力する。
【００２５】
カスタマーディスプレー３２は、各種情報を表示する。端末制御部２０は、デバイス通信部２５を制御してカスタマーディスプレー３２と通信し、カスタマーディスプレー３２に会計に関する情報を表示させる。
【００２６】
キャッシュドロワー３３は、貨幣を保管する。端末制御部２０は、デバイス通信部２５を制御してカスタマーディスプレー３２と通信し、所定のタイミングで、キャッシュドロワー３３のドアを開ける。
【００２７】
記録装置１１は、上述したように、ロール紙Ｒを収納し、ライン型のサーマルヘッドによりロール紙Ｒに記録するラインサーマルプリンターである。
図３に示すように、記録装置１１は、制御部４０と、入力部４１と、ＬＥＤ駆動部４２と、記憶部４３と、記録部４４と、無線通信部４５と、を備える。
【００２８】
制御部４０は、ＣＰＵや、ＲＯＭ、ＲＡＭ、その他の制御回路等を備え、記録装置１１を制御する。
【００２９】
入力部４１は、記録装置１１に設けられた操作スイッチ１２５、電源スイッチ１２７に接続され、これらスイッチに対する操作を検出して、制御部４０に出力する。制御部４０は、入力部４１からの入力に基づいて、操作に対応する処理を実行する。
【００３０】
ＬＥＤ駆動部４２は、ＬＥＤ表示部１２６が有する複数のＬＥＤに接続され、制御部４０の制御で、複数のＬＥＤを所定の態様で駆動して、記録装置１１の動作モードや、状態、エラーの発生の有無等を報知する。
【００３１】
記憶部４３は、不揮発性メモリーを備え、各種データを記憶する。
記憶部４３は、設定ファイル４３１を記憶する。設定ファイル４３１は、記録装置１１の設定に関する情報が記録される。設定ファイル４３１には、少なくとも、記録装置１１のＩＰアドレス、及び、記録装置１１のシリアル番号が記録される。シリアル番号は、記録装置１１を一意に識別する識別情報であり、製造段階で記録装置１１に割り振られる。
【００３２】
記録部４４は、制御部４０の制御で、ロール紙Ｒへの記録を実行する。詳述すると、記録部４４は、記録機構４４１と、搬送機構４４２と、切断機構４４３と、を備える。記録機構４４１は、ライン型のサーマルヘッドや、サーマルヘッドを駆動する駆動機構、駆動機構を制御する制御回路等のロール紙Ｒにドットを形成して画像を記録する各種機構を備える。搬送機構４４２は、ロール紙Ｒを搬送するプラテンローラーや、プラテンローラーを回転させる搬送モーター等のロール紙Ｒを搬送する各種機構を備える。切断機構４４３は、カッターユニット１２４や、カッターユニット１２４を駆動するカッター駆動モーター等のロール紙Ｒを切断する各種機構を備える。
記録部４４は、搬送機構４４２によりロール紙Ｒを搬送し、記録機構４４１によりロール紙Ｒにドットを形成して画像を記録し、切断機構４４３によりロール紙Ｒを切断して、画像が記録された紙片を発行する。
【００３３】
無線通信部４５は、制御部４０の制御で、所定の規格に従って無線通信する。
【００３４】
次に、会計が行われ、会計に基づくレシートを発行するときのＰＯＳ端末１０、及び、記録装置１１の基本的な動作について説明する。
【００３５】
図４は、ＰＯＳ端末１０、及び、記録装置１１の動作を示すフローチャートである。（Ａ）はＰＯＳ端末１０の動作を示し、（Ｂ）は記録装置１１の動作を示す。
【００３６】
図４（Ａ）に示すように、ＰＯＳ端末１０は、顧客の会計に応じて、会計処理を実行する（ステップＳＡ１）。
【００３７】
ステップＳＡ１の会計処理時、顧客が購入した商品のバーコードがバーコードリーダー３１により読み取られ、読み取り結果に基づく商品ＩＤが端末制御部２０に出力される。端末制御部２０は、入力された商品ＩＤの商品名と単価をＰＯＳサーバー１３に問い合わせ、商品の商品名と単価を取得する。端末制御部２０は、カスタマーディスプレー３２を制御して、取得した商品名と単価とを表示させる。また、端末制御部２０は、顧客が購入した商品ごとに、商品名と、単価と、購入数量とを所定の記憶領域に記憶する。
【００３８】
また、ステップＳＡ１の会計処理時、端末制御部２０は、レジカウンターＬのレジ担当者の指示に応じて、合計購入金額の算出や、釣銭の算出等を行う。また、端末制御部２０は、レジ担当者の指示に応じて、キャッシュドロワー３３を制御して、キャッシュドロワー３３のドアを開ける。
【００３９】
会計処理が完了すると、端末制御部２０は、会計に関する情報が記録されたレシートの発行を指示する制御データを生成する（ステップＳＡ２）。会計に関する情報とは、顧客が購入した商品の商品名や、単価、購入数量、合計購入金額、税に関する情報、釣銭等である。端末制御部２０には、プリンタードライバーがインストールされる。端末制御部２０は、プリンタードライバーの機能により、記録装置１１のコマンド体系に従ったコマンドで、制御データを生成する。
【００４０】
次いで、端末制御部２０は、端末無線通信部２３を制御して、生成した制御データを、対応する記録装置１１（同じレジカウンターＬに設けられた記録装置１１）に送信する（ステップＳＡ３）。
【００４１】
図４（Ｂ）に示すように、記録装置１１の制御部４０は、無線通信部４５を制御して、制御データを受信する（ステップＳＢ１）。
【００４２】
次いで、制御部４０は、制御データに基づいて、記録部４４を制御して、記録部４４にレシートを発行させる。
【００４３】
以上のように、ＰＯＳ端末１０は、同じレジカウンターＬに設けられた記録装置１１と通信し、記録装置１１を制御する。
ここで、本実施形態では、ＰＯＳ端末１０と、記録装置１１とは、無線ＬＡＮ１２を介して、ＴＣＰ／ＩＰに従って通信する。従って、ＰＯＳ端末１０は、特定の記録装置１１と通信するには、事前に、当該特定の記録装置１１のＩＰアドレス（アドレス）が登録される必要がある。
一方で、記録装置１１のＩＰアドレスの値は、固定された値ではなく、ユーザーの指示により変更可能である。従って、記録装置１１のＩＰアドレスが変更された場合、変更後のＩＰアドレスを、ＰＯＳ端末１０に登録する必要がある。
以上を踏まえ、記録装置１１は、以下の処理を実行する。
【００４４】
なお、本実施形態では、記録装置１１のＩＰアドレスは、ＤＨＣＰサーバーにより動的に割り当てられるものではなく、固定ＩＰアドレスである。すなわち、ＩＰアドレスが設定された後は、ユーザーにより意図的な変更が行われるまでは、ＩＰアドレスの値が変更されない。
【００４５】
また、ＩＰアドレスの設定には、記録装置１１にＩＰアドレスが設定されていない状態のときに初めてＩＰアドレスが設定される場合と、記録装置１１にＩＰアドレスが既に設定された状態のときに値の異なる新たなＩＰアドレスが設定される場合がある。以下の説明では、記録装置１１に初めてＩＰアドレスを設定することを「ＩＰアドレスの初回設定」といい、記録装置１１に既に設定されたＩＰアドレスを、他の値のＩＰアドレスに変更することを「ＩＰアドレスの変更」という。
ＩＰアドレスの初回設定は、例えば、記録装置１１の製造段階や、記録装置１１が出荷された後にＰＯＳシステム１に導入されるとき等に行われる。
【００４６】
記録装置１１へのＩＰアドレスの設定に際し、ユーザーは、ＩＰアドレスを設定するソフトウェアツールがインストールされた端末（以下、「設定端末」という。）を用意する。記録装置１１は、所定の規格に従った物理ポートを有しており、設定端末と記録装置１１とは、物理ポートに接続されたケーブルを介して有線接続可能である。ユーザーは、記録装置１１と設定端末とを有線接続し、ソフトウェアツールを起動する。
ソフトウェアツールは、その起動時に、ユーザー認証を行う機能を有する。ユーザー認証は、ユーザーにユーザーＩＤとパスワードとを入力させ、ユーザーにより入力されたユーザーＩＤとパスワードとが事前に登録されたものであるか否かを判別することにより行われる。ユーザー認証に成功した場合にのみ、ソフトウェアツールの機能を利用した記録装置１１へのＩＰアドレスの設定が可能となる。ユーザーは、ソフトウェアツールの起動後、自身に割り振られたユーザーＩＤとパスワードとを入力し、ユーザー認証を行わせる。
【００４７】
ユーザー認証が成功すると、設定端末は、ソフトウェアツールの機能により、記録装置１１に設定するＩＰアドレスを入力するユーザーインターフェースを提供する。ユーザーは、当該ユーザーインターフェースに、記録装置１１に設定するＩＰアドレスを入力し、入力を確定する。ＩＰアドレスの入力が確定すると、設定端末は、ソフトウェアツールの機能により、入力されたＩＰアドレス、及び、ユーザー認証時に入力されたユーザーＩＤを含み、入力されたＩＰアドレスの設定を指示する制御コマンドを生成し、記録装置１１に送信する。
【００４８】
記録装置１１の制御部４０は、制御コマンドを受信する。次いで、制御部４０は、受信した制御コマンドに基づいて、ＩＰアドレスの設定を行う。
以下、制御コマンドに基づくＩＰアドレスの設定を行うときの記録装置１１の動作について詳述する。なお、ＩＰアドレスの初回設定の場合と、ＩＰアドレスの変更の場合とで、ＩＰアドレス設定時の記録装置１１の動作が異なるため、場合を分けて説明する。
【００４９】
＜ＩＰアドレスの初回設定の場合＞
図５は、ＩＰアドレスの初回設定の場合におけるＩＰアドレス設定時の記録装置１１の動作を示すフローチャートである。
図５に示すように、記録装置１１の制御部４０は、上述した制御コマンドを受信する（ステップＳＣ１）。
次いで、制御部４０は、制御コマンドに含まれるＩＰアドレスを取得する（ステップＳＣ２）。
次いで、制御部４０は、設定ファイル４３１の対応する領域にステップＳＣ２で取得したＩＰアドレスを書き込み、ＩＰアドレスを設定する（ステップＳＣ３）。なお、詳細は省略するが、ステップＳＣ３において、制御部４０は、設定ファイル４３１への書き込みのほか、所定のプログラムの変数に格納されたＩＰアドレスの値の変更等、ＩＰアドレスの設定に必要な処理を実行する。
【００５０】
次いで、制御部４０は、ステップＳＣ３でＩＰアドレスの設定を行ったときの時刻を取得する（ステップＳＣ４）。以下、ステップＳＣ４で取得した時刻を「アドレス初回設定時刻」という。制御部４０には、所定の周期で、図示しないＲＴＣ(real-time clock)から、現在時刻を示すデータが入力される。ステップＳＣ４で、制御部４０は、ＲＴＣからの入力に基づいて、アドレス初回設定時刻を取得する。
【００５１】
次いで、制御部４０は、制御コマンドに含まれるユーザーＩＤを取得する（ステップＳＣ５）。
次いで、制御部４０は、記憶部４３が記憶する設定ファイル４３１を参照し、記録装置１１のシリアル番号を取得する（ステップＳＣ６）。
【００５２】
次いで、制御部４０は、記録部４４を制御して、初回設定時紙片を発行する（ステップＳＣ７）。
初回設定時紙片とは、ステップＳＣ２で取得したＩＰアドレス、ステップＳＣ４で取得したアドレス初回設定時刻、ステップＳＣ６で取得したシリアル番号、及び、ステップＳＣ５で取得したユーザーＩＤのユーザーによってＩＰアドレスの初回設定が指示されたことを示す情報、が記録された紙片である。
【００５３】
図６は、初回設定時紙片の一例を示す図である。
図６に例示する初回設定時紙片は、記録装置１１のシリアル番号を示す情報ＪＡ１が記録される。
また、初回設定時紙片は、初回設定されたＩＰアドレスを示す情報ＪＡ２が記録される。
また、初回設定時紙片は、アドレス初回設定時刻を示す情報ＪＡ３が記録される。
また、初回設定時紙片は、アドレスの初回設定が、所定のユーザーＩＤのユーザーの指示によって行われたことを示す情報ＪＡ４が記録される。
【００５４】
ＩＰアドレスの初回設定時に、初回設定時紙片が発行されることにより、以下の効果を奏する。
すなわち、初回設定時紙片には、記録装置１１のシリアル番号、及び、設定されたＩＰアドレスが記録されるため、ユーザーは、記録装置１１のＩＰアドレスを、記録装置１１のシリアル番号と対応付けて管理できる。また、ユーザーは、初回設定時紙片を参照しつつ、ＰＯＳ端末１０に記録装置１１のＩＰアドレスを登録できる。
また、初回設定時紙片は、アドレス初回設定時刻が記録されるため、ユーザーは、アドレスが設定されたときの時刻を把握できる。これにより、例えば、想定しない時刻にアドレスの設定が行われた場合、ユーザーは、不正にアドレスの設定が行われた可能性があることを認識できる。
また、初回設定時紙片は、ＩＰアドレスの初回設定が、所定のユーザーＩＤのユーザーの指示によって行われたことを示す情報が記録されるため、ユーザーは、初回設定の指示を行ったユーザーを把握できる。これにより、例えば、権限を有さない人間によってＩＰアドレスの設定が行われた場合、ユーザーは、そのことを認識できる。
【００５５】
なお、情報ＪＡ４について、ユーザーＩＤを記録しないよう設定できる構成であってもよい。
【００５６】
＜ＩＰアドレスの変更の場合＞
図７は、ＩＰアドレスの初回設定の場合におけるＩＰアドレス設定時の記録装置１１の動作を示すフローチャートである。
図７に示すように、記録装置１１の制御部４０は、上述した制御コマンドを受信する（ステップＳＤ１）。
次いで、制御部４０は、制御コマンドに含まれるＩＰアドレスを取得する（ステップＳＤ２）。
次いで、制御部４０は、設定ファイル４３１に記録されたＩＰアドレス（変更前のＩＰアドレス）を取得する（ステップＳＤ３）
次いで、制御部４０は、設定ファイル４３１に記録されたＩＰアドレス（変更前のＩＰアドレス）を、ステップＳＤ２で取得したＩＰアドレス（変更後のＩＰアドレス）に書き換えることにより、ＩＰアドレスを設定する（ステップＳＤ４）。なお、詳細は省略するが、ステップＳＤ４において、制御部４０は、設定ファイル４３１の書き換えのほか、所定のプログラムの変数に格納されたＩＰアドレスの値の変更等、ＩＰアドレスの設定に必要な処理を実行する。
【００５７】
次いで、制御部４０は、ステップＳＤ３でＩＰアドレスの設定を行ったときの時刻を取得する（ステップＳＤ５）。以下、ステップＳＤ５で取得した時刻を「アドレス変更時刻」という。
【００５８】
次いで、制御部４０は、制御コマンドに含まれるユーザーＩＤを取得する（ステップＳＤ６）。
次いで、制御部４０は、記憶部４３が記憶する設定ファイル４３１を参照し、記録装置１１のシリアル番号を取得する（ステップＳＤ７）。
【００５９】
次いで、制御部４０は、記録部４４を制御して、変更時紙片を発行する（ステップＳＣ８）。
変更時紙片とは、ステップＳＤ２で取得した変更後のＩＰアドレス、ステップＳＤ３で取得した変更後のＩＰアドレス、ステップＳＤ５で取得したアドレス変更時刻、ステップＳＤ７で取得したシリアル番号、及び、ステップＳＤ６で取得したユーザーＩＤのユーザーによってＩＰアドレスの変更が指示されたことを示す情報、が記録された紙片である。
【００６０】
図８は、変更時紙片の一例を示す図である。
図８に例示する変更時紙片は、記録装置１１のシリアル番号を示す情報ＪＢ１が記録される。
また、変更時紙片は、変更前のＩＰアドレスを示す情報ＪＢ２が記録される。
また、変更時紙片は、変更後のＩＰアドレスを示す情報ＪＢ３が記録される。
ここで、図８に示すように、変更後のＩＰアドレスについて、変更前のＩＰアドレスと相違する部分には、アンダーラインが引かれる。すなわち、変更後のＩＰアドレスは、変更前のＩＰアドレスとの相違部分が識別可能な態様で記録される。
また、変更時紙片は、アドレス変更時刻を示す情報ＪＢ４が記録される。
また、変更時紙片は、ＩＰアドレスの変更が、所定のユーザーＩＤのユーザーの指示によって行われたことを示す情報ＪＢ５が記録される。
情報ＪＢ５は、「アドレスを変更した手段を示す情報」に相当する。
【００６１】
ＩＰアドレスの変更時に、変更時紙片が発行されることにより、以下の効果を奏する。
すなわち、変更時紙片には、記録装置１１のシリアル番号、及び、設定された変更後のＩＰアドレスが記録されるため、ユーザーは、記録装置１１の新たなＩＰアドレスを、記録装置１１のシリアル番号と対応付けて管理できる。
また、ユーザーは、変更時紙片を参照しつつ、ＰＯＳ端末１０に記録装置１１のＩＰアドレスを登録できる。変更時紙片では、変更後のＩＰアドレスと共に、変更前のＩＰアドレスが記録されるため、ユーザーは、変更後のＩＰアドレスと、変更前のＩＰアドレスとを比較しつつ、ＰＯＳ端末１０に記録装置１１のＩＰアドレスを登録できる。特に、変更時紙片では、変更後のＩＰアドレスについて、変更前のＩＰアドレスと相違する部分には、アンダーラインが引かれる。このため、ユーザーは、ＩＰアドレスの変更箇所を確実に把握でき、ＰＯＳ端末１０のＩＰアドレスの登録時、変更箇所に特に留意しつつ、登録を行うことができる。
また、変更時紙片は、アドレス変更時刻が記録されるため、ユーザーは、アドレスが変更されたときの時刻を把握できる。これにより、例えば、想定しない時刻にアドレスの変更が行われた場合、ユーザーは、不正にアドレスの変更が行われた可能性があることを認識できる。
また、変更時紙片は、ＩＰアドレスの変更が、所定のユーザーＩＤのユーザーの指示によって行われたことを示す情報が記録されるため、ユーザーは、指示を行ったユーザーを把握できる。これにより、例えば、権限を有さない人間によってＩＰアドレスの変更が行われた場合、ユーザーは、そのことを認識できる。
【００６２】
なお、情報ＪＢ５について、ユーザーＩＤを記録しないよう設定できる構成であってもよい。
【００６３】
＜変形例＞
次に、変形例について説明する。
上述した実施形態では、記録装置１１のＩＰアドレスは、固定ＩＰアドレスであった。一方、変形例では、記録装置１１のＩＰアドレスは、ＤＨＣＰサーバーにより動的に割り当てられる。
この場合において、記録装置１１の制御部４０は、ＤＨＣＰサーバーの機能により、設定されたＩＰアドレスの値に変化があったか否かを監視し、変化があった場合、図７のフローチャートで示す処理に準じた処理を実行し、変更時紙片を発行する。この場合において、図８に示す情報ＪＢ５は、ＤＨＣＰサーバーの機能により、ＩＰアドレスの値が変化したことを示す情報（アドレスを変更した手段を示す情報）とされる。
ユーザーは、ＤＨＣＰサーバーの機能によりＩＰアドレスが変更された場合、変更時紙片が発行されたこと認識することにより、ＩＰアドレスが変更されたことを認識する。そして、ユーザーは、発行された変更時紙片を利用して、ＰＯＳ端末１０に、変更後のＩＰアドレスを登録できる。
記録装置１１により以上のような処理が行われるため、上述した効果と応用の効果を奏する。
【００６４】
以上説明したように、本実施形態に係る記録装置１１は、ＩＰアドレス（アドレス）を記憶する記憶部４３と、ロール紙Ｒ（記録媒体）に記録する記録部４４と、ＩＰアドレスの変更の指示があった場合、変更前のＩＰアドレスと変更後のＩＰアドレスとを記録部４４に記録させ、変更後のＩＰアドレスを記憶部４３に記憶させる制御部４０と、を備える。
この構成によれば、ユーザーは、変更後のＩＰアドレスと、変更前のＩＰアドレスとを比較しつつ、ＰＯＳ端末１０に記録装置１１のＩＰアドレスを登録できる。すなわち、記録装置１１は、変更前のＩＰアドレスという、通信に関する有益な情報を提供できる。
【００６５】
また、本実施形態では、制御部４０は、ＩＰアドレスの変更の指示があった場合、変更前のＩＰアドレス及び変更後のＩＰアドレスと併せて、シリアル番号（識別情報）を記録部４４に記録させる。
この構成によれば、ユーザーは、記録装置１１の新たなＩＰアドレスを、記録装置１１のシリアル番号と対応付けて管理できる。
【００６６】
また、本実施形態では、制御部４０は、ＩＰアドレスの変更の指示があった場合、変更前のＩＰアドレス及び変更後のＩＰアドレスと併せて、ＩＰアドレスが変更されたときの時刻を記録部４４に記録させる。
この構成によれば、ユーザーは、アドレスが変更されたときの時刻を把握できる。これにより、例えば、想定しない時刻にアドレスの変更が行われた場合、ユーザーは、不正にアドレスの変更が行われた可能性があることを認識できる。
【００６７】
また、本実施形態では、制御部４０は、ＩＰアドレスの変更の指示があった場合、変更前のＩＰアドレス及び変更後のＩＰアドレスと併せて、アドレスを変更した手段を示す情報を記録部４４に記録させる。
この構成によれば、ユーザーは、ＩＰアドレスがどのような手段によって変更されたかを認識でき、当該認識に基づいて、例えば、不正な手段でＩＰアドレスの変更が行われた可能性があることを認識できる。
【００６８】
また、本実施形態では、制御部４０は、ＩＰアドレスの変更の指示があった場合、変更前のＩＰアドレスと変更後のＩＰアドレスとを、各アドレスの相違部分を識別可能な態様で、記録部４４に記録させる。
この構成によれば、ユーザーは、ＩＰアドレスの変更箇所を確実に把握でき、ＰＯＳ端末１０のＩＰアドレスの登録時、変更箇所に特に留意しつつ、登録を行うことができる。
【００６９】
なお、上述した実施の形態は、あくまでも本発明の一態様を示すものであり、本発明の範囲内で任意に変形および応用が可能である。
例えば、上述した実施形態では、記録装置１１のアドレスは、ＩＰアドレスであった。しかしながら、記録装置１１のアドレスは、ＩＰアドレスに限らず、通信のプロトコルに応じたアドレスであればよい。
また、上述した実施形態では、記録装置１１のプリント方式は、サーマル方式であった。しかしながら、プリント方式は、サーマル方式に限定されない。
また、図３に示す各機能ブロックはハードウェアとソフトウェアにより任意に実現可能であり、特定のハードウェア構成を示唆するものではない。
【符号の説明】
【００７０】
１１…記録装置、４０…制御部、４３…記憶部、４４…記録部、Ｒ…ロール紙（記録媒体）。
【図１】
0006365120.tif 000002
【図２】
0006365120.tif 000003
【図３】
0006365120.tif 000004
【図４】
0006365120.tif 000005
【図５】
0006365120.tif 000006
【図６】
0006365120.tif 000007
【図７】
0006365120.tif 000008
【図８】
0006365120.tif 000009